(57)【要約】【課題】部品点数の削減を図るとともに、デザイン上もスッキリとした階段構造を提供する。【解決手段】段板３の側端部を支持する支持部材１４が、壁の下地材によって構成されており、段板３の側端部が壁２に差し込まれた状態で支持部材１４によって支持されているので、中桁を省略することができ、その分部品点数の削減を図ることができる。  また、中桁がなく、しかも、支持部材１４が壁の下地材で構成されており、壁から突出していないので、デザイン上もスッキリとしたものとなる。【選択図】図６
2007321500.tif 000002
【特許請求の範囲】
【請求項１】
階段の左右両側部に壁が設けられた階段構造であって、
段板の側端部を支持する支持部材が、前記壁の下地材によって構成されており、
前記段板の側端部が壁に差し込まれた状態で前記支持部材によって支持されていることを特徴とする階段構造。
【請求項２】
請求項１に記載の階段構造において、
前記支持部材は、支持部材本体と押え部材とを備え、
前記支持部材本体に階段状に形成された複数の支持面によって前記段板の側端部下面が支持されており、
前記押え部材に階段状に形成された複数の押え面によって、前記段板の側端部上面が押えられていることを特徴とする階段構造。
【請求項３】
請求項１に記載の階段構造において、
前記支持部材には、支持孔が前記支持部材の長さ方向に所定間隔で複数形成されており、これら支持孔に複数の段板の側端部が嵌め込まれて支持されていることを特徴とする階段構造。
【請求項４】
請求項３に記載の階段構造において、
前記支持孔には、断面Ｌ字状の支持金具が、その横片部を水平にして挿入されるとともに縦片部を前記支持孔の底面に固定した状態で設けられ、
前記支持金具の横片部によって段板の側端部が支持されていることを特徴とする階段構造。
【請求項５】
請求項３に記載の階段構造において、
対向する側板部材の支持孔には、断面凹状の支持金具が、その両端の縦片部を前記支持孔の底面に固定した状態で設けられており、
前記支持金具の横片部によって前記段板の下面全体が支持されていることを特徴とする階段構造。
【発明の詳細な説明】
【技術分野】
【０００１】
本発明は、階段の左右両側部に壁が設けられた階段構造に関する。
【背景技術】
【０００２】
近年、室内の見映えが良くなること、通気性や採光性に優れていることなどの理由から、建物の室内階段として、ストリップ階段の需要が高まっている。
このストリップ階段は、中桁（ささら桁）を略中央部に配置し、この中桁に複数の段板を該中桁の長手方向に一定間隔で固定してなるものである（例えば特許文献１参照）。
【特許文献１】特開２００５−１３９６９４号公報
【発明の開示】
【発明が解決しようとする課題】
【０００３】
ところで、上記のようなストリップ階段では、中桁を使用しているのでその分階段の部品点数が多くなるとともに、中桁が段板の裏側に位置しているとはいえ、蹴込板がないので、階段の正面から見えるので、デザイン上スッキリとしたものとは言えなかった
【０００４】
本発明は上記事情に鑑みてなされたもので、部品点数の削減を図るとともに、デザイン上もスッキリとした階段構造を提供することを課題としている。
【課題を解決するための手段】
【０００５】
上記課題を解決するために、請求項１に記載の発明は、例えば図１〜図１１に示すように、階段１の左右両側部に壁２，２が設けられた階段構造であって、
段板３の側端部を支持する支持部材４（１４）が、前記壁の下地材によって構成されており、
前記段板３の側端部が壁２に差し込まれた状態で前記支持部材４（１４）によって支持されていることを特徴とする。
【０００６】
請求項１に記載の発明によれば、段板３の側端部を支持する支持部材４（１４）が、前記壁の下地材によって構成されているので、中桁を省略することができ、その分部品点数の削減を図ることができる。
また、中桁がなく、しかも、支持部材４（１４）が壁の下地材で構成されており、壁から突出していないので、デザイン上もスッキリとしたものとなる。
【０００７】
請求項２に記載の発明は、例えば図２〜図４に示すように、請求項１に記載の階段構造において、
前記支持部材４は、支持部材本体５と押え部材６とを備え、
前記支持部材本体５に階段状に形成された複数の支持面５ａによって前記段板３の側端部下面が支持されており、
前記押え部材６に階段状に形成された複数の押え面６ａによって、前記段板３の側端部上面が押えられていることを特徴とする。
【０００８】
請求項２に記載の発明によれば、支持部材本体５に階段状に形成された複数の支持面５ａによって前記段板３の側端部下面が支持されているので、段板３を容易かつ確実に支持することができ、また、押え部材６に階段状に形成された複数の押え面６ａによって、前記段板３の側端部上面が押えられているので、段板３が支持面５ａから上方に外れるのを確実に防止できる。
【０００９】
請求項３に記載の発明は、例えば図１１に示すように、請求項１に記載の階段構造において、
前記支持部材１４には、支持孔１４ａが前記支持部材１４の長さ方向に所定間隔で複数形成されており、これら支持孔１４ａに複数の段板３の側端部が嵌め込まれて支持されていることを特徴とする。
【００１０】
請求項３に記載の発明によれば、支持部材１４に形成された支持孔１４ａに複数の段板３の側端部が嵌め込まれて支持されているので、段板３を容易かつ確実に支持することができる。
【００１１】
請求項４に記載の発明は、例えば図５〜図８に示すように、請求項３に記載の階段構造において、
前記支持孔１４ａには、断面Ｌ字状の支持金具１５が、その横片部１５ａを水平にして挿入されるとともに縦片部１５ｂを前記支持孔１４ａの底面に固定した状態で設けられ、
前記支持金具１５の横片部１５ａによって段板３の側端部が支持されていることを特徴とする。
【００１２】
請求項４に記載の発明によれば、段板３の側端部が、支持孔１４ａに挿入された支持金具１５の横片部１５ａによって支持されているので、段板３の側端部が支持孔１４ａに少ししか差し込まれていない場合でも、該段板３を確実に支持できる。
【００１３】
請求項５に記載の発明は、例えば図９および図１０に示すように、請求項３に記載の階段構造において、
対向する支持部材１４の支持孔１４ａには、断面凹状の支持金具２５が、その両端の縦片部２５ｂ，２５ｂを前記支持孔１４ａの底面に固定した状態で設けられており、
前記支持金具２５の横片部２５ａによって前記段板３の下面全体が支持されていることを特徴とする。
【００１４】
請求項５に記載の発明によれば、支持金具２５の横片部２５ａによって前記段板３の下面全体が支持されているので、段板３の幅（左右の長さ）が長い場合でも、該段板３を確実に支持することができる。
【発明の効果】
【００１５】
本発明によれば、段板の側端部を支持する支持部材が、壁の下地材によって構成されており、段板の側端部が壁に差し込まれた状態で支持部材によって支持されているので、中桁を省略することができ、その分部品点数の削減を図ることができる。
また、中桁がなく、しかも、支持部材が壁の下地材で構成されており、壁から突出していないので、デザイン上もスッキリとしたものとなる。
【発明を実施するための最良の形態】
【００１６】
以下図面を参照して本発明の実施の形態について説明する。
図１は本発明に係る階段構造の一例を示す斜視図である。この図に示す階段１は例えば１階と２階とを繋ぐものであり、その左右両側部にはそれぞれ壁２，２が設けられている。
（第１の実施の形態）
階段１の段板３の側端部は、図２および図３に示すように、支持部材４によって支持されている。この支持部材４は壁の下地材である例えば合板などによって構成されたものであり、支持部材本体５と押え部材６とによって構成されている。壁２は、躯体となる壁本体と、この壁本体に取り付けられて、壁紙等の仕上げ材が貼り付けられる壁下地材とから構成されている。壁本体は、例えば建物の躯体を構成する壁パネル等から構成されている。なお、この壁パネルは框材を矩形枠状に組み立てるとともに、この矩形枠の内側に補強桟材を組み付け、さらに矩形枠の表裏面に合板等で形成された面材を貼着してなるものである。
前記支持部材本体５には、複数の段板３の側端部下面を支持する複数の支持面５ａが階段状に形成されている。また、押え部材６には、支持部材本体５の複数の支持面５ａによって支持された複数の段板３をその上方から押える複数の押え面６ａが階段状に形成されている。
そして支持部材本体５の複数の支持面５ａによって段板３の側端部下面が支持されており、押え部材６の複数の押え面６ａによって、段板３の側端部上面が押えられている。つまり段板３は支持部材本体５と押え部材６とによって挟み付けられた状態となっている。
【００１７】
上記のような支持部材４は、壁の下地材として壁本体の表面に固定され、さらに、支持部材４の上側および下側には、それぞれ壁の下地材としての石膏ボード７が固定されている。石膏ボード７の厚さは支持部材４と同じ厚さになっており、上側の石膏ボード７は押え部材６に隙間無く当接しており、下側の石膏ボード７は支持部材本体５に隙間無く当接している。支持部材４と石膏ボード７とからなる壁下地材には、仕上げ材としての壁紙等が貼り付けられるようになっている。
【００１８】
前記支持部材４を構成する支持部材本体５と押え部材６は、例えば図４に示すように、細長い板状の合板のほぼ中央部を階段状に切断することによって形成される。その場合、大きな合板から前記細長い板状の合板を切り出した後、この細長い板状の合板を、ＮＣ切断機等によって階段状に切断していくことによって、支持部材本体５と押え部材６とを同時に無駄なく形成できる。
【００１９】
段板３は以下のようにして支持部材４によって支持される。
まず、図２（ａ）に示すように、壁本体の表面に、下側の石膏ボード７と支持部材本体５とを接着剤やビス、釘等によって固定する。
次に、図２（ｂ）に示すように、支持部材本体５の各支持面５ａに各段板３の側端部下面を上方から載せ、必要に応じて接着剤等によって固定する。
次に、図２（ｃ）に示すように、押え部材６を、その各押え面６ａによって各段板３の側端部上面を押えるようにして、支持部材本体５上に段板３を挟持して載せ、接着剤やビス、釘等によって壁本体に固定し、さらに、押え部材６に、上側の石膏ボード７を載せて接着剤やビス、釘等によって壁本体に固定する。
このようにして、段板３の側端部が壁に差し込まれた状態で支持部材４によって支持されることになる。なお、図２では段板３の右側の側端部を支持部材４に支持するようにしているが、同様にして左側の側端部も左側の支持部材４によって支持する（図３参照）。
【００２０】
本実施の形態によれば、段板３の側端部を支持する支持部材５が、壁の下地材によって構成されているので、中桁を省略することができ、その分部品点数の削減を図ることができる。
また、中桁がなく、しかも、支持部材５が壁の下地材で構成されており、壁から突出していないので、デザイン上もスッキリとしたものとなる。
さらに、支持部材本体５には複数の支持面５ａが階段状に形成されているので、これら支持面５ａに段板３の側端部を設置することによって、段板３を容易かつ確実に支持することができ、また、押え部材６に複数の段板３をその上方から押える複数の押え面６ａが階段状に形成されているので、段板３が支持面５ａから上方に外れるのを確実に防止できる。
【００２１】
（第２の実施の形態）
図５〜図８は第２の実施の形態を示すものである。この実施の形態が第１の実施の形態と異なる点は、段板３の側端部を支持する支持部材の構成である。この第２の実施の形態でも、第１の実施の形態と同様に、支持部材１４が壁の下地材である合板によって構成されており、段板３の側端部が壁に差し込まれた状態で支持部材１４によって支持されている。
【００２２】
支持部材１４は細長い板状に形成されたものであり、その外形は前記支持部材４と等しくなっている。支持部材１４には、複数の段板３の側端部が嵌め込まれて支持される長方形状の支持孔１４ａが支持部材１４の長さ方向（階段の傾斜方向）に所定間隔で複数形成されている。前記支持孔１４ａには、支持金具１５が挿入固定されている。
この支持金具１５は断面Ｌ字状に形成されたものであり、その横方向の長さ（幅）は支持孔１４ａの幅とほぼ等しいか若干に小さくなっている。また、支持金具１５は、水平板状の横片部１５ａと、この横片部１５に一体的に直角に形成された垂直板状の縦片部１５ｂとから構成されている。
そして、支持金具１５は支持孔１４ａに、横片部１５ａを水平にして挿入するとともに縦片部１５ｂを前記支持孔１４ａの底面に固定した状態で設けられている。縦片部１５ｂにはビス穴１６ａが形成されており、このビス穴１６ａにビス１６ｂを挿通して支持孔１４ａの底面にねじ込むことによって、縦片部１５ｂが固定されている。
また、横片部１５ａの基端部は支持孔１４ａの下側の内側面に当接しており、先端部は支持孔１４ａから突出している。そして、横片部１５ａに段板３の側端部が設置されることによって、段板３の側端部が支持されている。横片部１５ａにはビス穴１７ａが形成されており、このビス穴１７ａにビス１７ｂを挿通して段板３の下面にねじ込むことによって、段板３の側端部が横片部１５ａに固定されている。
【００２３】
段板３を支持部材１４によって支持するには、まず、図７および図８に示すように、下側の石膏ボード７と支持部材１４とを接着剤やビス、釘等によって壁本体に固定した後、支持部材１４に形成されている支持孔１４ａに、支持金具１５を上記のようにしてビス１６ｂによって固定する。なお、支持金具１５は図６に示すように、左右の支持部材１４のそれぞれの支持孔１４ａに固定する。
次に、段板３を一方の支持部材１４の支持孔１４ａに深く差し込むとともに、左右の対向する支持金具１５，１５の横片部１５ａ，１５ａに載置する。なお、段板３の左右の長さは、該段板３の一方の側端部を一方の支持孔１４ａに深く差し込んで、支持金具１５の縦片部１５に当接した際に、段板３の他方の側端部が他方の支持孔１４ａから出た状態となるように設定されている。つまり、段板３の左右の長さは、一方の支持金具１５の縦片部１４ａの表面と、他方の支持孔１４ａの入口縁との間の距離より短くなっている。
次に、段板３を他方の支持孔１４ａに向けて移動させ、段板３の他方の側端部を支持孔１４ａに挿入する。これによって、段板３の両側端部が対向する支持孔１４ａ，１４ａにそれぞれ挿入されるとともに、段板３の両側端部の下面が支持金具１５の横片部１５ａによって支持される。
次に、横片部１５ａのビス穴１７ａにビス１７ｂを挿通して段板３の下面にねじ込むことによって、段板３の側端部を横片部１５ａに固定する。
最後に、支持部材１４に、上側の石膏ボード７を載せて接着剤やビス、釘等によって壁本体に固定する。
【００２４】
本実施の形態によれば、第１の実施の形態と同様に、分部品点数の削減を図ることができるとともに、デザイン上もスッキリとしたものとなるのは勿論のこと、段板３の側端部が、支持孔１４ａに挿入された支持金具１５の横片部１５ａによって支持されているので、段板３の側端部が支持孔１４ａに少ししか差し込まれていない場合でも、該段板３を確実に支持できる。
【００２５】
（第３の実施の形態）
図９および図１０は第３の実施の形態を示すものである。この実施の形態が第２の実施の形態と異なる点は、段板３を支持する支持金具の構成である。この第３の実施の形態でも、第２の実施の形態と同様に、支持部材１４が壁の下地材である合板によって構成されており、段板３の側端部が壁に差し込まれた状態で支持部材１４によって支持されている。
【００２６】
支持金具２５は、図９および図１０に示すように、断面凹状に形成されたものであり、水平板状の横片部２５ａと、この横片部２５ａの左右両端部にそれぞれ一体的に直角に形成された垂直板状の縦片部２５ｂとから構成されている。
支持金具２５は対向する支持孔１４ａ，１４ａに、横片部２５ａの両端部をそれぞれ水平にして挿入するとともに縦片部２５ｂを前記支持孔１４ａの底面に固定した状態で設けられている。縦片部２５ｂにはビス穴１６ａが形成されており、このビス穴１６ａにビス１６ｂを挿通して支持孔１４ａの底面にねじ込むことによって、縦片部２５ｂが固定されている。
また、横片部２５ａの両端部はそれぞれ支持孔１４ａ，１４ａの下側の内側面に当接している。そして、横片部２５ａに段板３の下面全体が設置されることによって、段板３の下面全体が支持されている。横片部２５ａにはビス穴１７ａが形成されており、このビス穴１７ａにビス１７ｂを挿通して段板３の下面にねじ込むことによって、段板３が横片部２５ａに固定されている。
【００２７】
段板３を支持部材１４によって支持するには、まず、下側の石膏ボード７と支持部材１４とを接着剤やビス、釘等によって壁本体に固定した後、支持部材１４に形成されている支持孔１４ａに、支持金具２５を上記のようにしてビス１６ｂによって固定する。
次に、段板３を支持金具２５の横片部２５ａ上で、一方の支持部材１４の支持孔１４ａに深く差し込むとともに、横片部２５ａに載置する。なお、段板３の左右の長さは、第２の実施の形態の場合と同様に設定されている。
次に、段板３を他方の支持孔１４ａに向けて移動させ、段板３の他方の側端部を支持孔１４ａに挿入する。これによって、段板３の両側端部が対向する支持孔１４ａ，１４ａにそれぞれ挿入されるとともに、段板３の下面全体が支持金具２５の横片部２５ａによって支持される。
次に、横片部２５ａのビス穴１７ａにビス１７ｂを挿通して段板３の下面にねじ込むことによって、段板３の下面を横片部２５ａに固定する。
最後に、支持部材１４に、上側の石膏ボード７を載せて接着剤やビス、釘等によって壁本体に固定する。
【００２８】
本実施の形態によれば、第２の実施の形態と同様の効果を得ることができるのは勿論のこと、支持金具２５の横片部２５ａによって段板３の下面全体が支持されているので、段板の幅（左右の長さ）が長い場合でも、該段板３を確実に支持することができる。
【００２９】
（第４の実施の形態）
前記第２および第３の実施の形態では、段板３の側端部を支持部材１４によって支持する場合に、支持部材１４に形成された支持孔１４ａに、支持金具１５，２５を挿入固定して、この支持金具１５，２５によって段板３の側端部を支持したが、図１１に示すように、支持金具１５，２５を使用することなく、支持孔１４ａ，１４ａによって直接段板３の側端部を支持してもよい。
この場合、例えば、一方の支持部材１４と他方の支持部材１４とにそれぞれ形成する支持孔１４ａ，１４ａの深さを異なるように設定し、深い方の支持孔１４ａに、段板３の一方の側端部を深く挿入した後、この段板３を他方の支持孔１４ａに向けて移動させ、段板３の他方の側端部を浅い方の支持孔１４ａにその底面に当接するまで挿入すればよい。この場合、段板３の左右の側端部はそれぞれ支持孔１４ａ，１４ａに接着剤によって固定すればよい。このように、段板３の側端部を支持部材１４に形成された支持孔１４ａ，１４ａに嵌め込むことによって、段板３を容易かつ確実に支持することができる。
なお、段板３の左右の長さは、該段板３の一方の側端部を一方の支持孔１４ａに深く差し込んで、その底面に当接した際に、段板３の他方の側端部が他方の支持孔１４ａから出た状態となるように設定されている。つまり、段板３の左右の長さは、一方の支持孔１４ａの底面と、他方の支持孔１４ａの入口縁との間の距離より短くなっている。
【図面の簡単な説明】
【００３０】
【図１】本発明に係る階段構造の一例を示す斜視図である。
【図２】本発明に係る階段構造の第１の実施の形態を示すもので、階段構造を施工する方法を説明するための要部の斜視図である。
【図３】同、階段構造の要部の断面図である。
【図４】同、支持部材を示す側面図である。
【図５】本発明に係る階段構造の第２の実施の形態を示すもので、その要部の斜視図である。
【図６】同、階段構造の要部の断面図である。
【図７】同、階段構造を施工する方法を説明するための要部の斜視図である。
【図８】同、階段構造を施工する方法を説明するための要部の拡大斜視図である。
【図９】本発明に係る階段構造の第３の実施の形態を示すもので、段板と支持金具を示す斜視図である。
【図１０】同、階段構造の要部の断面図である。
【図１１】本発明に係る階段構造の第４の実施の形態を示すもので、階段構造の要部の断面図である。
【符号の説明】
【００３１】
１  階段
２  壁
３  段板
４，１４  支持部材
５  支持部材本体
５ａ  支持面
６  押え部材
６ａ  押え面
１４ａ  支持孔
１５，２５  支持金具
１５ａ，２５ａ  横片部
１５ｂ，２５ｂ  縦片部
【図１】
2007321500.tif 000003
【図２】
2007321500.tif 000004
【図３】
2007321500.tif 000005
【図４】
2007321500.tif 000006
【図５】
2007321500.tif 000007
【図６】
2007321500.tif 000008
【図７】
2007321500.tif 000009
【図８】
2007321500.tif 000010
【図９】
2007321500.tif 000011
【図１０】
2007321500.tif 000012
【図１１】
2007321500.tif 000013